(57)【要約】【課題】現像剤補給容器内の現像剤の凝固を、現像剤排出口を中心に積極的に崩すことで現像装置への現像剤の補給を初期から滞りなく行わせること。【解決手段】少なくとも現像剤を収容する現像剤収容部と、前記現像剤を排出させる現像剤排出口とを有する現像剤補給容器において、現像剤補給容器を画像形成装置内に設けられた現像装置に本体に装着する際に、前記画像形成装置本体内部で前記現像剤収容部端部が伸長し、前記現像剤収容部容積が増加する動作に伴い前記現像剤排出口が開封されることを特徴とする。【選択図】図２
2006267680.tif 000002
【特許請求の範囲】
【請求項１】
少なくとも現像剤を収容する現像剤収容部と、前記現像剤を排出させる現像剤排出口とを有する現像剤補給容器であって、
現像剤補給容器を画像形成装置内に設けられた現像装置に本体に装着する際に、前記画像形成装置本体内部で前記現像剤収容部端部が伸長し、前記現像剤収容部容積が増加する動作に伴い前記現像剤排出口が開封されることを特徴とする現像剤補給容器。
【請求項２】
現像剤排出口へ現像剤を攪拌搬送する攪拌部材を有し、前記攪拌部材が前記現像剤収容部伸長動作に伴い伸長することを特徴とする請求項１記載の現像剤補給容器。
【請求項３】
画像形成装置本体に装着する際に、前記画像形成装置本体内で前記現像剤収容部が伸長し前記現像剤収容部容積が増加することに前記攪拌部材が前記現像材収容部の伸長に伴い軸線方向に伸長することによって、画像形成装置本体から前記攪拌部材の駆動力が伝達可能となるされる手段を有することを特徴とする請求項１又は２記載の現像剤補給容器。
【請求項４】
前記現像剤収容部が内筒と外筒の２重筒構造から成ることを特徴とする請求項１〜３の何れかに記載の現像剤補給容器。
【請求項５】
前記内筒が外壁面に少なくとも１つの螺旋状の突起又は溝を有し、前記外筒が内壁面に前記螺旋状の突起又は溝と係合可能な溝又は突起を有することを特徴とする請求項４記載の現像剤補給容器。
【請求項６】
画像形成装置内に設けられた少なくとも現像剤を収容する現像剤収容部と、前記現像剤を排出させる現像剤排出口とを有する現像剤補給容器を着脱可能な前記現像剤補給容器の受け入れ部を有する現像剤補給装置であって、
前記現像剤補給容器内の現像剤収容部の伸長動作に伴って、前記現像剤補給容器受け入れ部が伸長することを特徴とする現像剤補給装置。
【請求項７】
現像剤排出口へ現像剤を攪拌搬送する攪拌部材を有し、前記攪拌部材が前記現像剤収容部伸長動作に伴い伸長することを特徴とする請求項６記載の現像剤補給装置。
【請求項８】
当該現像剤補給装置を画像形成装置本体に装着する際に、前記画像形成装置本体内で前記現像剤収容部が伸長し前記現像剤収容部容積が増加することによって、画像形成装置本体から前記攪拌部材の駆動力が伝達される手段を有することを特徴とする請求項６又は７記載の現像剤補給装置。
【請求項９】
前記攪拌部材の駆動受け部を有する前記現像剤補給装置において、画像形成装置本体から駆動力を受けると実質的に同時に現像剤排出口の開封動作が完了することを特徴とする請求項８記載の現像剤補給装置。
【請求項１０】
前記現像剤収容部が内筒と外筒の２重筒構造から成ることを特徴とする請求項６〜９の何れかに記載の現像剤補給装置。
【発明の詳細な説明】
【技術分野】
【０００１】
本発明は、例えば電子写真方式を用いて画像を形成する、例えば、電子写真複写機、電子写真プリンタ（例えば、レーザ―ビームプリンタ、ＬＥＤプリンタ等）、ファクシミリ装置、ワードプロセッサ等に着脱可能に設けられた現像剤を補給する現像剤補給装置及び現像剤補給容器に関するものである。
【背景技術】
【０００２】
電子写真複写機やレーザービームプリンター等の電子写真画像形成装置は、一様に帯電させた感光体ドラムに選択的な露光を行う。そして、静電潜像を形成する。次に、その静電潜像を現像剤で現像して像を形成する。その後、該像を記録媒体に転写して画像記録を行う。
【０００３】
このような装置にあっては、現像剤が無くなる都度現像剤を補給しなければならない。ここで、画像形成装置に現像剤を補給するための現像剤補給容器は、収納した現像剤を画像形成装置本体の現像剤受け入れ容器に一度に全量補給する所謂補給型容器と、画像形成装置本体に容器を装着後、そのまま該容器を据え置く所謂据え置き型容器とに大別される。据え置き型容器は現像剤を使い切るまで徐々に現像装置に現像剤を補給する。
【０００４】
近年、現像剤補給容器は据え置き型が使用される傾向にある。前記据え置き型容器においては、徐々に現像装置に現像剤を補給させるため、前記容器内に攪拌部材を設け、画像形成装置本体側の駆動を受け、前記攪拌部材を回転させることで、現像剤を現像装置に補給する構成がある。又、別の構成としては前記現像剤補給容器内部に搬送突起又は螺旋状の突起を一体的に設け、画像形成装置本体側の駆動を受け、前記現像剤補給容器自体を回転させることで現像剤を現像装置へ補給する構成がある。
【０００５】
ここで、前記現像剤補給容器は物流による振動や、画像形成装置内や保管場所に長期に放置すると補給容器内部の現像剤が凝固することがあり、現像剤を補給する初期段階において、現像装置に現像剤を十分に補給できない状況が起こることがある。これら現像剤の凝固を崩す手段としては、前記据え置きタイプの現像剤補給容器において、内部に設けられた弾性部材を振動させることによって現像剤の凝固を崩す構成があり、又、別の手段では、前記現像剤補給容器自体を回転させることで現像剤を現像装置へ補給する現像剤補給容器において、容器自体が伸長することによって現像剤の凝固を崩す構成がある。
【０００６】
ここで、内部に設けられた弾性部材を伸長、振動させることによって現像剤の凝固を崩す構成の一例を示す（特許文献１）。この現像剤補給容器は、補給装置内にバネ等の攪拌デバイスが配置されており、これがロック機構によって縮められた状態で維持されており、補給装置を画像形成装置内で回転させることによって、前記攪拌デバイスのロック状態が解放され、攪拌デバイスが伸長、振動し、粒子材料中を前記攪拌デバイスが移動することで、凝固した材料を砕き攪拌する構成が開示されている。
【０００７】
又、容器自体が伸長することによって現像剤の凝固を崩す構成の一例を示す（特許文献２）。この現像剤補給容器は、内側に凸状になった螺旋状のリブが周壁に形成された円筒状の容器であり、前記リブがある位置の周壁の肉厚が薄くなっている。又、排気用の開口部乃至現像剤は遮断するが気体のみを通過させるフィルター等を設け、内部に設置されたポンプや、外力等を用いて容器を伸長させ、それに伴う容器容積の増加を利用し、現像剤の凝固を砕く構成が開示されている。
【０００８】
【特許文献１】特開２００３−２０２７３８号公報
【特許文献２】特開平６−０５９５７２号公報
【発明の開示】
【発明が解決しようとする課題】
【０００９】
しかしながら、特許文献１に開示されている現像剤の凝固を崩す構成は、内部に圧縮されたバネの伸長を利用して現像剤の凝固を崩す極めて簡単な機構であるが、現像剤が現像剤収容部の容積に対して十分少ない状態での効果は認められるが、容積に対して目一杯に高密度に現像剤を充填した際には容器が伸長することによる現像剤収容部の容積増加が伴わないため、現像剤の攪拌領域が少なく現像剤の凝固を崩す効果は十分ではない。
【００１０】
又、特許文献２に開示されている現像剤の凝固を崩す構成では、現像剤補給容器を伸長させるために容器周壁にバネを設け、又は内部にガス発生手段なるものを設けた非常に複雑な機構であり、且つ、前記手段を用いて容器を伸長させることは非常に困難である容易ではない。
【００１１】
又、前記手段を用いて容器を伸長させた際には、現像剤の凝固を容器内全域に亘って崩す構成ではあるが、特に最も重点的に崩す必要のある排出口付近の現像剤の凝固を積極的に崩す構成にはなっていない。
【００１２】
本発明は以上の問題点に鑑みてなされたものであり、その第１の目的は、現像剤補給容器内の現像剤の凝固を、現像剤排出口を中心に積極的に崩すことで現像装置への現像剤の補給を初期から滞りなく行わせることにある。
【００１３】
又、第２の目的は、現像剤補給容器を画像形成装置に装着完了した際に現像剤の凝固を崩すために崩すことで、攪拌部材の初期駆動力を低減させることにある。
【００１４】
第３の目的としては、攪拌部材のに駆動が伝達される駆動連結される時と排出口開封とを実質的に同時に完了させることで、ユーザーが誤って開封操作を行った際の現像剤補給を防止し、開封操作が完了した際にのみ確実に現像装置へ現像剤を補給するさせることにある。
【課題を解決するための手段】
【００１５】
上記目的を達成するため、本発明は、少なくとも現像剤を収容する現像剤収容部と、前記現像剤を排出させる現像剤排出口とを有する現像剤補給容器において、現像剤補給容器を画像形成装置内に設けられた現像装置に本体に装着する際に、前記画像形成装置本体内部で前記現像剤収容部端部が伸長し、前記現像剤収容部容積が増加する動作に伴い前記現像剤排出口が開封されることを特徴とする。
【００１６】
又、本発明は、画像形成装置内に設けられた少なくとも現像剤を収容する現像剤収容部と、前記現像剤を排出させる現像剤排出口とを有する現像剤補給容器を着脱可能な前記現像剤補給容器の受け入れ部を有する現像剤補給装置において、前記現像剤補給容器内の現像剤収容部の伸長動作に伴って、前記現像剤補給容器受け入れ部が伸長することを特徴とする。
【発明の効果】
【００１７】
本発明によれば、現像剤補給容器が画像形成装置内部で伸長する際に、現像剤収容部容積が増加することで現像剤の凝固を崩すことができ、又、排出口の位置が元の位置から相対的に変位することによって排出口付近の現像剤の凝固をも積極的に崩すことができ、排出初期から現像剤のを閉塞なく滞りなく補給できる。更に、一連の収容部の伸長動作が現像剤排出口の開封動作を伴うため、ユーザーに前期収容部を伸長させるための操作という新たな負荷を求めることがない。
【００１８】
又、前記現像剤補給容器収容部内に現像剤の攪拌部材を有すれば設けることで、更に現像剤の凝固を崩す効果はより大きくなり、更には前記攪拌部材の駆動力を低減することができ、画像形成装置本体の負荷を軽減することができる。
【００１９】
更に、現像剤補給容器の排出口から現像剤が補給できる状態になった際に、攪拌部材の駆動力がを伝達伝達されるタイミングを排出口開封操作完了と実質的に一致させることで、ユーザーの誤操作による現像剤の誤補給を防ぐことができる。
【発明を実施するための最良の形態】
【００２０】
以下、本発明を画像形成装置である電子写真複写機に用いられる現像剤補給容器及び前記現像剤補給容器を装着する現像剤補給装置の関係について説明する。
【００２１】
＜実施の形態１＞
［画像形成装置］
最初に本発明に係る現像剤補給容器が装着される電子写真画像形成装置の一例である電子写真複写機の構成について図１に基づいて説明する。
【００２２】
図１において、１００は電子写真複写機本体（以下、「装置本体」と言う）である。又、１０１は原稿であり、原稿台ガラス１０２の上に置かれる。そして、画像情報に応じた光像が光学部１０３の複数のミラーＭとレンズＬｎにより、電子写真感光体ドラム１０４上に結像する。１０５〜１０８はカセットである。これらカセット１０５〜１０８に積載された記録媒体（以下、「シート」と言う）Ｓのうち、操作部から使用者が入力した情報若しくは原稿１０１のシートサイズから最適なシートをカセット１０５〜１０８のシートサイズ情報から選択する。ここで、記録媒体としては、用紙に限定されずに、例えばＯＨＰシート等適宜選択できる。
【００２３】
そして、給送分離装置１０５Ａ〜１０８Ａにより搬送された１枚のシートＳを、搬送部１０９を経由してレジストローラ１１０まで搬送し、感光体ドラム１０４の回転と、光学部１０３のスキャンのタイミングを同期させて搬送する。尚、１１１，１１２は転写放電器、分離放電器である。ここで、転写放電器１１１によって感光体ドラム１０４上に形成された現像剤像をシートＳに転写する。そして、分離放電器１１２によって、現像剤像の転写されたシートＳを感光体ドラム１０４から分離する。
【００２４】
その後、搬送部１１３により搬送されたシートＳは、定着部１１４において熱と圧によりシート上の現像剤像を定着させた後、片面コピーの場合には、排出反転部１１５を通過し、排出ローラ１１６により排出トレイ１１７へ排出される。又、両面コピーの場合には、排出反転部１１５のフラッパ１１８の制御により、再給送搬送部１１９，１２０を経由してレジストローラ１１０まで搬送された後、片面コピーの場合と同様の経路を辿って排出トレイ１１７へ排出される。
【００２５】
又、多重コピーの場合には、シートＳは、排出反転部１１５を通り、一度排出ローラ１１６により一部が装置外へ排出される。そして、その後、シートＳの終端がフラッパ１１８を通過し、排出ローラ１１６に未だ挟持されているタイミングでフラッパ１１８を制御すると共に排出ローラ１１６を逆回転させることにより、再度装置内へ搬送される。更にその後、再給送搬送部１１９，１２０を経由してレジストローラ１１０まで搬送された後、片面コピーの場合と同様の経路を辿って排出トレイ１１７へ排出される。
【００２６】
上記構成の装置本体１００において、感光体ドラム１０４の周りには現像装置２０１、クリーナ部２０２、一次帯電器２０３等が配置されている。尚、クリーナ部２０２は、感光体ドラム１０４に残留している現像剤を除去するためのものである。又、一次帯電器２０３は、感光体ドラム１０４を帯電するためのものである．
［現像装置］
ここで、現像装置２０１は、原稿１０１の情報を光学部１０３により感光体ドラム１０４に形成された静電潜像を現像剤を用いて現像するものである。そして、この現像装置２０１ヘ現像剤を補給するための現像剤補給容器１が装置本体１００に使用者によって着脱可能に設けられている。ここで、現像装置２０１は、現像剤補給容器１を取り外し可能に装着する現像剤補給装置２と現像器２０１ａとを有しており、更に現像器２０１ａは、現像ローラ２０１ｂと、送り部材２０１ｃを有している。現像剤補給容器１から補給された現像剤は、送り部材２０１ｃにより現像ローラ２０１ｂに送られて、この現像ローラ２０１ｂにより感光体ドラム１０４に供給される。
【００２７】
又、外装カバーの一部である現像剤補給容器交換用カバー１５が設けてあり、使用者が現像剤補給容器１を装置本体１００に装脱着を行う際は、図１の矢印Ａ方向に交換用カバー１５を開けて行う。
［現像剤補給装置及び現像剤補給容器］
次に、本発明における現像剤補給容器及び現像剤補給装置の実施形態の詳細について図２〜図６を用いて説明する。
【００２８】
図２に現像剤補給容器及び現像剤補給装置を示す。現像剤補給容器１は、前記現像装置内に設けられたｂ方向にスライド可能な現像剤補給装置２にａ方向から装着されることで現像剤を補給する構成となっている。
【００２９】
又、現像剤補給装置に装着された際に現像剤補給容器は、前記現像剤補給装置に設けられた非図示の制御部において回転方向ｃに係止される構成となっている。
【００３０】
図３（ａ）は本容器の縮状態、図３（ｂ）は本容器の伸状態の斜視図である。図３（ａ），（ｂ）に示すように、現像剤補給容器は内筒３と外筒４との２重筒構造となっており、現像剤を補給するための現像剤排出口５を内筒周面上に有している。図４（ａ）は前記内筒の正面図、図４（ｂ）は前記内筒の斜視図である。図４（ａ），（ｂ）で示すように、内筒外壁には螺旋状にリブ６が設けてある構成となっている。
【００３１】
又、図５（ａ）は前記外筒の側面図、図５（ｂ）は前記外筒の斜視図である。外筒内壁には図５（ａ），（ｂ）に示すように、前記リブ６が嵌め込み可能な形状にに対応した形状の螺旋状に溝７が螺旋状に設けてあり、更に外筒の外壁面には図３（ａ）に示すような円周方向ｃへ回転力を与えることが可能な操作部８が設けてある。更に、内筒と外筒は縮状態を保持するために、図３（ａ）に示すロック部材９によって周面方向、長手方向に係止されている状態となっている。
【００３２】
ここで、図６（ａ）は現像剤補給容器縮状態の断面図、図６（ｂ）は現像剤補給容器伸状態の断面図である。
【００３３】
図６（ａ）に示すように、現像装置に装着する前の現像剤補給容器内では現像剤が凝固した状態１０になっている。このとき、前記内筒と前記内筒は互いに回転不可になっており、ここで前記操作部を用いて縮状態の容器外筒に、画像形成装置内で図３（ａ）に示した円周方向ｃに回転力を加えると、現像剤補給容器に設けられたロック部材が図３（ｃ）に示した画像形成装置又は現像装置に設けられたロック解除部１１と係合し、ｄ方向に弾性変形し、ロックが解除される。
【００３４】
更に、回転力を加えると外筒がｃ方向に回転し、前記螺旋状に設けられた溝に沿って内筒が、現像剤補給装置に回転方向ｃに係止されているため、内筒は回転しないで長手方向ｂにスライドする構成となっている。又、前記現像剤補給装置は現像剤補給容器と一体となって長手方向にスライドする構成となっている。
【００３５】
前記操作によって、図６（ｂ）に示したように容器内筒に設けられた現像剤排出口の位置が長手方向に変位し、現像剤補給容器内の現像剤の凝固は排出口付近を中心に十分崩された状態１２になり、前記現像装置に設けられた現像剤受け入れ口１３付近まで到達すると、前記現像剤排出口５と前記現像剤受け入れ口１３が連通し、容器内部の現像剤を現像装置に補給する構成となっている。
【００３６】
このように、前記現像剤補給容器は現像装置内で、容器容積の拡大、排出口の開封操作を行う構成であり、容器内で凝固した現像剤を排出口付近を中心に積極的に崩すことができ、初期から現像剤を滞りなく補給できるとともに、現像剤排出口５の開封も同時に行うことができる。
【００３７】
＜実施の形態２＞
次に、伸縮可能な攪拌部材を有する現像剤補給容器の本発明における実施形態について図７〜図１０を用いて説明する。尚、画像形成装置と現像剤補給装置、現像剤補給装置と現像剤補給容器との関係は実施の形態１と同様である。
【００３８】
図７（ａ）は内部に前記伸縮可能な攪拌部材１４を設けた縮状態の現像剤補給容器の断面斜視図である。前記攪拌部材の少なくとも１つの端部１６は容器側壁の軸受け部１５で長手方向に変位不可に係止されている。
【００３９】
続いて、図８（ａ）に縮状態の現像剤補給容器断面図を、図８（ｂ）に伸状態の現像剤補給容器断面図を示す。
【００４０】
縮状態では容器内部の現像剤が凝固している状態１０であるが、容器伸長動作に伴って攪拌部材がもｂ方向へ伸長することで、現像剤の凝固を崩す効果がより大きく確実となり、凝固した現像剤は排出口付近を中心に十分に崩された状態１２になり、現像装置に設けられた現像剤受け入れ口付近まで変位すると、現像剤排出口５と前記現像剤受け入れ口１３が連通し、現像剤補給容器内の現像剤を現像装置に補給する構成となっている。又、その際、十分に現像剤の凝固が崩されていることから、攪拌部材の特に初期駆動力を低減可能な構成となっている。
【００４１】
ここで、伸縮可能な攪拌部材の詳細について説明する。
【００４２】
図９（ａ）〜（ｃ）に縮状態の攪拌部材を、図１０（ａ）〜（ｃ）に伸状態の攪拌部材を示す。攪拌部材は、図８（ｃ）に示したような軸部１７に軸方向ｂにスライド可能なスライド部１８を有している。容器伸長動作に伴い、前記したように端部が長手方向に容器に固定され、スライド部が伸長することによって、図１０（ａ），（ｂ）に示したように、攪拌部材が長手方向ｂに伸長する構成となっている。
【００４３】
又、スライド可能な攪拌部材の他の実施の形態を図１１に示す。（ａ）は縮状態、（ｂ）は伸状態となっており、回転方向には自由だが長手方向に係止される軸端部１６’を有し、更に軸長手方向へスライドさせるためのスライド部１８’を有する構成となっている。
【００４４】
このように、内部に現像剤補給容器内部に伸縮可能な攪拌部材を設けることで、実施の形態１に示した現像剤補給容器の構成よりも、凝固した現像剤をより確実に崩すことができ、特に補給初期の攪拌部材の駆動力をより低減することができる。
【００４５】
図１２（ａ）〜（ｃ）に現像装置内の現像剤補給装置に装着後の現像剤補給容器の縮状態を示す。現像剤補給容器に設けられた攪拌部材の駆動力受け部１９は、容器が縮状態において、画像形成装置が有する前記攪拌部材の軸中心の実質的に延長線上に位置し、画像形成装置が有する攪拌部材駆動部２０と係合していない。この状態において、前記攪拌部材は駆動を得るつことができず、現像剤を搬送することはできない。
【００４６】
次に、図１３（ａ）〜（ｃ）に画像形成装置内における現像剤補給装置に装着後の実施の形態１に記載の伸長動作が完了した際の現像剤補給容器を示す。
【００４７】
図中、丸点線で囲んだ部分２１に示したように、現像剤補給容器及び現像剤補給装置の伸長動作完了時には前記画像形成装置の攪拌部材駆動部２０と前記現像剤補給容器が有する駆動力受け部１９が係合した状態となり、駆動が伝達され、攪拌部材が作用し、現像剤を搬送する。又、攪拌部材が駆動力を得るタイミングと実質的に一致して、実施の形態１で記した前記現像剤補給容器の有する現像剤排出口の開封動作が完了し、前記排出口と現像剤受け入れ口が連通し現像剤が補給される構成となっている。
【００４８】
このように、容器伸長動作に伴い攪拌部材が伸長し、現像剤排出口の開封動作完了と攪拌部材の駆動を得るタイミングが実質的に一致する構成となっていることで、ユーザーが実施の形態１，２に記した容器伸長操作を途中で止めたとしても、誤って現像剤を補給する事を防ぐことが簡単な構成にて可能である。
【００４９】
＜実施の形態３＞
又、上記した構成では内筒に排出口を有した現像剤補給容器を示したが、図１４（ａ）〜（ｃ）及び図１５（ａ）〜（ｃ）に示すように、外筒に排出口５’を有する構成であっても良い。即ち、外筒又は内筒の何れかが排出口を有し、一方の何れかの壁が排出口を塞ぐ構成になっており、どちらか一方が伸長すると同時に排出口に対して排出口を塞ぐ壁の位置が相対的に変位する構成になっていることが本発明の意図するところである。又、前記容器の伸長動作は実施の形態１に記載の内容と同様である。
【００５０】
このように、排出口付近の壁が容器伸長動作に伴って確実に変位することにより、排出口付近の現像剤の凝固を確実に崩すことができ、補給初期から滞りなく現像剤を排出することが可能になる。更に、容器内に攪拌部材があれば尚その効果は大きくなる。
【図面の簡単な説明】
【００５１】
【図１】本発明の実施の形態１に示す電子写真複写装置の構成図を示す図である。
【図２】本発明の実施の形態１に係る現像剤補給容器と現像剤補給装置を示す図である。
【図３】本発明の実施の形態１に係る現像剤補給容器を示す（ａ）縮状態の斜視図、（ｂ）伸状態の斜視図、（ｃ）ロック解除部の拡大図である。
【図４】本発明の実施の形態１に係る現像剤補給容器内筒の（ａ）側面図、（ｂ）斜視図である。
【図５】本発明の実施の形態１に係る現像剤補給容器外筒の（ａ）正面図、（ｂ）斜視図である。
【図６】本発明の実施の形態１に係る現像剤補給容器の（ａ）縮状態の側面断面図、（ｂ）伸状態での側面断面図である。
【図７】本発明の実施の形態２に係る攪拌部材付き現像剤補給容器の（ａ）縮状態の斜視断面図、（ｂ）伸状態の斜視断面図である。
【図８】本発明の実施の形態２に係る攪拌部材付き現像剤補給容器の（ａ）縮状態の側面断面図、（ｂ）伸状態の側面断面図である。
【図９】本発明の実施の形態２である縮状態の攪拌部材の（ａ）斜視図、（ｂ）側面図、（ｃ）正面断面図である。
【図１０】本発明の実施の形態２に係る伸状態の攪拌部材の（ａ）斜視図、（ｂ）側面図、（ｃ）正面断面図である。
【図１１】本発明の実施の形態２に係る他の攪拌部材の（ａ）縮状態の斜視図、（ｂ）伸状態の斜視図である。
【図１２】本発明の実施の形態１，２に係る現像剤補給装置及び現像剤補給容器と画像形成装置駆動部の縮状態の（ａ）斜視図、（ｂ）側面図、（ｃ）側面断面図である。
【図１３】本発明の実施の形態１，２に係る現像剤補給装置及び現像剤補給容器と画像形成装置駆動部の伸状態の（ａ）斜視図、（ｂ）側面図、（ｃ）側面断面図である。
【図１４】本発明の実施の形態３に係る現像剤補給容器の縮状態の（ａ）側面図、（ｂ）側面断面図、（ｃ）斜視図である。
【図１５】本発明の実施の形態３に係る現像剤補給容器の伸状態の（ａ）側面図、（ｂ）側面断面図、（ｃ）斜視図である。
【符号の説明】
【００５２】
１            現像剤補給容器
２            現像剤補給装置
３            容器内筒
４            容器外筒
５，５’      現像剤排出口
６            螺旋リブ
７            螺旋溝
８            操作部
９            ロック部
１０          凝固した現像剤
１１          ロック解除部
１２          凝固が崩された現像剤
１３          現像剤受入部
１４          攪拌部材
１５          軸受け部
１６，１６’  攪拌部材軸端部
１７          軸部
１８，１８’  スライド部
１９          駆動力受け部
２０          駆動部
２１          駆動が伝達された状態
１００        装置本体
１０１        原稿
１０２        原稿台ガラス
１０３        光学部
１０４        感光体ドラム
１０５〜１０８      カセット
１０５Ａ〜１０８Ａ  給送分離装置
１０９        搬送部
１１０        レジストローラ
１１１        転写放電器
１１２        分離放電器
１１３        搬送部
１１４        定着部
１１５        排出反転部
１１６        排出ローラ
１１７        排出トレイ
１１８        フラッパ
１１９，１２０  再給送搬送部
２０１        現像ローラ
２０１ａ      現像器
２０１ｂ      現像ローラ
２０１ｃ      送り部材
２０２        現像ブレード
【図１】
2006267680.tif 000003
【図２】
2006267680.tif 000004
【図３】
2006267680.tif 000005
【図４】
2006267680.tif 000006
【図５】
2006267680.tif 000007
【図６】
2006267680.tif 000008
【図７】
2006267680.tif 000009
【図８】
2006267680.tif 000010
【図９】
2006267680.tif 000011
【図１０】
2006267680.tif 000012
【図１１】
2006267680.tif 000013
【図１２】
2006267680.tif 000014
【図１３】
2006267680.tif 000015
【図１４】
2006267680.tif 000016
【図１５】
2006267680.tif 000017